(57)【特許請求の範囲】
【請求項１】
稀溶液ライン（Ｌ１）は低温溶液熱交換器（８）と中温溶液熱交換器（９）とを経由して、中温溶液熱交換器（９）と高温溶液熱交換器（１０）との間で、高温溶液熱交換器（１０）及び高温再生器（１）に連通する溶液ライン（Ｌ２）と中温再生器（２）へ連通する溶液ライン（Ｌ３）とに分岐しており、高温再生器（１）で濃縮された吸収溶液は高温溶液熱交換器を（１０）経由して第４の再生器（４）に供給され、中温再生器（２）で濃縮された吸収溶液は中温溶液熱交換器（９）を経由して低温再生器（３）内へ供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項２】
稀溶液ライン（Ｌ１）は低温溶液熱交換器（８）、第２の中温溶液熱交換器（９Ａ）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９Ａ）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給されることを特徴とする吸収冷温水機。
【請求項３】
稀溶液ライン（Ｌ１）は低温溶液熱交換器（８）、第２の中温溶液熱交換器（９Ａ）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９Ａ）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項４】
稀溶液ライン（Ｌ１）は、低温溶液熱交換器（８）と中温溶液熱交換器（９）の間で、低温再生器（３）へ連通する溶液ライン（Ｌ３６）と、中温再生器（２）或いは高温再生器（１）へ連通するライン（Ｌ１Ａ）とに分岐しており、中温再生器（２）或いは高温再生器（１）へ連通する前記ライン（Ｌ１Ａ）は、中温溶液熱交換器（９）と高温溶液熱交換器（１０）の間で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給されることを特徴とする吸収冷温水機。
【請求項５】
稀溶液ライン（Ｌ１）は、低温溶液熱交換器（８）と中温溶液熱交換器（９）の間で、低温再生器（３）へ連通する溶液ライン（Ｌ３６）と、中温再生器（２）或いは高温再生器（１）へ連通するライン（Ｌ３５）とに分岐しており、中温再生器（２）或いは高温再生器（１）へ連通する前記ライン（Ｌ３５）は、中温溶液熱交換器（９）と高温溶液熱交換器（１０）の間で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項６】
稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給されることを特徴とする吸収冷温水機。
【請求項７】
稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項８】
稀溶液ライン（Ｌ１）は低温溶液熱交換器（８）と中温溶液熱交換器（９）を経由して、中温溶液熱交換器（９）と高温溶液熱交換器（１０）との間で、高温溶液熱交換器（１０）及び高温再生器（１）に連通する溶液ライン（Ｌ３９）と低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気は、中温再生器（２）を経由してから第４の再生器（４）内の溶液と熱交換を行い、気液２相流或いは液相冷媒となって凝縮器（５）に供給されることを特徴とする吸収冷温水機。
【請求項９】
稀溶液ライン（Ｌ１）は低温溶液熱交換器（８）と中温溶液熱交換器（９）を経由して、中温液熱交換器（９）と高温溶液熱交換器（１０）との間で、高温溶液熱交換器（１０）及び高温再生器（１）に連通する溶液ライン（Ｌ３９）と、溶液ドレン熱交換器（１１）及び低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項１０】
稀溶液ライン（Ｌ１）は低温溶液熱交換器（８）と中温溶液熱交換器（９）を経由して、中温溶液熱交換器（９）と高温溶液熱交換器（１０）との間で、溶液ドレン熱交換器（１１）、高温溶液熱交換器（１０）、高温再生器（１）に連通する溶液ライン（Ｌ１Ｂ）と、低温再生器（３）へ連通する溶液ライン（Ｌ１Ｃ）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給されることを特徴とする吸収冷温水機。
【請求項１１】
高温再生器（１）で発生した冷媒蒸気は、第４の再生器（４）内の溶液と熱交換を行って再生せしめた後、溶液ドレン熱交換器（１１）で稀溶液ライン（Ｌ１）を流れる稀溶液と熱交換を行ってから凝縮器（５）に供給される請求項２、４、６、８のいずれかに記載の吸収冷温水機。
【請求項１２】
第４の再生器（４）へ連通するライン（Ｌ２０）を流れる冷媒蒸気は第４の再生器（４）内の溶液と熱交換を行って再生せしめた後、第２の溶液ドレン熱交換器（１１Ａ）で稀溶液ライン（Ｌ１）を流れる稀溶液と熱交換を行ってから凝縮器（５）へ供給される請求項１、３、５、７、９、１０のいずれかに記載の吸収冷温水機。
【請求項１３】
吸収器（７）及び蒸発器（６）を２段に構成した請求項１−１２のいずれか１項に吸収冷温水機。
【請求項１４】
前記低温再生器（３）のケーシングと第４の再生器（４）のケーシングとを一体的に構成し、一体的に構成されたケーシングの内部は、中温再生器（２）で発生した蒸気が流れる蒸気ラインが連通する低温再生器（３）側の領域と、高温再生器（１）で発生した蒸気が流れる蒸気ラインが連通する第４の再生器（４）側の領域、とが存在する請求項１−１３のいずれか１項に吸収冷温水機。
【請求項１５】
一体的に構成されたケーシング内部空間の上方の領域における最下方には、供給された吸収溶液を貯留する部材が設けられており、該部材に  は中温再生器（２）に連通するラインが接続されている請求項１４に吸収冷温水機。
【請求項１６】
高温再生器（１）で発生した冷媒蒸気が流れるライン（Ｌ２０）における中温再生器（２）と第４の再生器（４）内との間の領域に、流量調整弁（Ｖ１）を介装した請求項２、４、６、８、１１のいずれか１項に記載の吸収冷温水機。
【請求項１７】
高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、第４の再生器（４）へ連通するラインにおける分岐点と第４の再生器との間の領域に、流量調整弁（Ｖ２）を介装した請求項１、３、５、７、９、１０、１２のいずれか１項に記載の吸収冷温水機。
【請求項１８】
高温再生器（１）で発生した蒸気が流れるライン（Ｌ２０）は、中温再生器（２）或いは第４の再生器（４）に連通するラインと、蒸発器（６）に連通するライン（Ｌ１２８）とに分岐しており、蒸発器（６）に連通する前記ラインに冷暖切換弁（Ｖ３）が介装されている請求項１−１７のいずれか１項に記載の吸収冷温水機。
【発明の詳細な説明】
【０００１】
【発明の属する技術分野】
本発明は吸収冷温水機に関し、特に、三重効用吸収冷温水機に関する。
【０００２】
【従来の技術】
高温再生器（或いは第１の再生器）に供給される高質燃料を用いてバーナ等で吸収溶液を加熱する事により、３個の再生器で水蒸気（気相の冷媒）を発生する三重効用吸収冷温水機は、冷却効率（ＣＯＰｃ）が非常に高いので、吸収冷温水機の高効率化が達成されるとして、従来から種々提案されている。
【０００３】
しかし、図２９（パラレルフロータイプ）及び図３０（シリーズフロータイプ）で示す三重効用サイクル（圧力−温度−濃度線図：ＰＴＸ線図）を参照すれば明らかなように、三重効用吸収冷温水機の高温再生器（図２９及び図３０の符号「ＨＧ」で示す箇所）においては、その再生温度が２００℃−２５０℃の高温となるので、腐食してしまうという問題が存在する。特に、２００℃を超える高温の場合には、２００℃以下の場合に比較して、温度上昇に対する腐食の進行が極めて速くなる事が知られている。
【０００４】
これに対して、例えば図３１で示す吸収冷温水機では、高温再生器１における腐食を防止する技術を示している。図３１において、高温再生器１で発生した気相冷媒（水蒸気）が流れる蒸気ライン２７、すなわち、高温再生器１から中温再生器２を介して低温再生器３に連通するライン２７に分岐ライン３１を設けている。そして該ライン３１は、ライン２７の高温再生器１と中温再生器２との間の領域から分岐してライン２８に合流しており、該ライン２８は、ライン２７の中温再生器２と低温再生器３との間の領域に合流している。
【０００５】
そして、ライン３１には、開閉弁１９が介装されている。温度負荷が高い場合には、開閉弁１９を開放して、ライン２７内を流れる蒸気が中温再生器２をバイパスして、低温再生器３に送られる。すなわち、開閉弁１９が開放される場合には、図３３の吸収冷温水機は二重効用吸収冷温水機として作動されることになる。そのため、高温再生器１の温度の上昇は抑制されるのである。
【０００６】
しかし、図３１の技術では、三重効用吸収冷温水機として作動するのは、温度負荷が低い場合に限定され、通常時は二重効用吸収冷温水機として作動する。従って、図３１の吸収冷温水機の効率を、その作動時間について平均すれば、三重効用吸収冷温水機としての高効率は到底望めないのである。
【０００７】
この様に、従来の三重効用吸収冷温水機によれば高温再生器が腐食してしまうという問題が存在し、そして、三重効用吸収冷温水機並みの高効率を維持しつつ、高温再生器の腐食を解決できる技術は、従来は提供されていなかった。
【０００８】
【発明が解決しようとする課題】
本発明は上述した従来技術の問題点に鑑みて提案されたものであり、三重効用吸収冷温水機としての高い熱効率を維持しつつ、高温再生器の腐食を防止する事が出来る吸収冷温水機の提供を目的としている。
【０００９】
【課題を解決するための手段】
本発明の吸収冷温水機によれば、
稀溶液ラインＬ１は低温溶液熱交換器８と中温溶液熱交換器９とを経由して、中温溶液熱交換器９と高温溶液熱交換器１０との間で、高温溶液熱交換器１０及び高温再生器１に連通する溶液ラインＬ２と中温再生器２へ連通する溶液ラインＬ３とに分岐しており、高温再生器１で濃縮された吸収溶液は高温溶液熱交換器を１０経由して第４の再生器４に供給され、中温再生器２で濃縮された吸収溶液は中温溶液熱交換器９を経由して低温再生器３内へ供給され、低温再生３で濃縮された吸収溶液は第４の再生器４内へ供給され、第４の再生器４で濃縮された吸収溶液は低温溶液熱交換器８を経由して吸収器７へ供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１で稀溶液ラインＬ１を流れる稀溶液と熱交換を行って凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようになっている。
【００１０】
また本発明の吸収冷温水機によれば、稀溶液ラインＬ１は低温溶液熱交換器８、第２の中温溶液熱交換器９Ａ、第１の中温溶液熱交換器９、高温溶液熱交換器１０を経由して高温再生器１に連通しており、高温再生器１で濃縮された吸収溶液は高温溶液熱交換器１０を経由して中温再生器２に供給され、中温再生器２で濃縮された吸収溶液は第１の中温溶液熱交換器９を経由して低温再生器３内へ供給され、低温再生器３で濃縮された吸収溶液は第２の中温溶液熱交換器９Ａを経由して第４の再生器４内へ供給され、第４の再生器４で濃縮された吸収溶液は低温溶液熱交換器８を経由して吸収器７へ供給され、高温再生器１で発生した冷媒蒸気は、中温再生器２を経由してから第４の再生器４内の溶液と熱交換を行い、気液２相流或いは液相冷媒となって凝縮器５に供給されるようになっている。
【００１１】
そして本発明の吸収冷温水機によれば、稀溶液ラインＬ１は低温溶液熱交換器８、第２の中温溶液熱交換器９Ａ、第１の中温溶液熱交換器９、高温溶液熱交換器１０を経由して高温再生器１に連通しており、高温再生器１で濃縮された吸収溶液は高温溶液熱交換器１０を経由して中温再生器２に供給され、中温再生器２で濃縮された吸収溶液は第１の中温溶液熱交換器９を経由して低温再生器３内へ供給され、低温再生器３で濃縮された吸収溶液は第２の中温溶液熱交換器９Ａを経由して第４の再生器４内へ供給され、第４の再生器４で濃縮された吸収溶液は低温溶液熱交換器８を経由して吸収器７へ供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１で稀溶液ラインＬ１を流れる稀溶液と熱交換を行って凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようになっている。
【００１２】
さらに本発明の吸収冷温水機によれば、稀溶液ラインＬ１は、低温溶液熱交換器８と中温溶液熱交換器９の間で、低温再生器３へ連通する溶液ラインＬ３６と、中温再生器２或いは高温再生器１へ連通するラインＬ１Ａとに分岐しており、中温再生器２或いは高温再生器１へ連通する前記ラインＬ１Ａは、中温溶液熱交換器９と高温溶液熱交換器１０の間で、中温再生器２へ連通するラインＬ３と、高温溶液熱交換器１０及び高温再生器１へ連通するラインＬ２とに分岐しており、高温再生器１で濃縮された吸収溶液は高温溶液熱交換器１０を経由して第４の再生器４に供給され、中温再生器２で濃縮された吸収溶液は中温溶液熱交換器９を経由して第４の再生器４に供給され、低温再生器３で濃縮された吸収溶液は第４の再生器４内へ供給され、第４の再生器４で濃縮された吸収溶液は低温溶液熱交換器８を経由して吸収器７へ供給され、高温再生器１で発生した冷媒蒸気は、中温再生器２を経由してから第４の再生器４内の溶液と熱交換を行い、気液２相流或いは液相冷媒となって凝縮器５に供給されるようになっている。
【００１３】
かつ本発明の吸収冷温水機によれば、稀溶液ラインＬ１は、低温溶液熱交換器８と中温溶液熱交換器９の間で、低温再生器３へ連通する溶液ラインＬ３６と、中温再生器２或いは高温再生器１へ連通するラインＬ３５とに分岐しており、中温再生器２或いは高温再生器１へ連通する前記ラインＬ３５は、中温溶液熱交換器９と高温溶液熱交換器１０の間で、中温再生器２へ連通するラインＬ３と、高温溶液熱交換器１０及び高温再生器１へ連通するラインＬ２とに分岐しており、高温再生器１で濃縮された吸収溶液は高温溶液熱交換器１０を経由して第４の再生器４に供給され、中温再生器２で濃縮された吸収溶液は中温溶液熱交換器９を経由して第４の再生器４に供給され、低温再生器３で濃縮された吸収溶液は第４の再生器４内へ供給され、第４の再生器４で濃縮された吸収溶液は低温溶液熱交換器８を経由して吸収器７へ供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１で稀溶液ラインＬ１を流れる稀溶液と熱交換を行って凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようなっている。
【００１４】
そして本発明の吸収冷温水機によれば、稀溶液ラインＬ１を流れる稀溶液は低温溶液熱交換器８及び中温溶液熱交換器９を経由して低温再生器３へ供給され、低温再生器３で濃縮された吸収溶液は中温溶液熱交換器９を経由して中温再生器２へ供給され、中温再生器２で濃縮された吸収溶液は高温溶液熱交換器１０を経由して高温再生器１へ供給され、高温再生器１で濃縮された吸収溶液は高温溶液熱交換器１０を経由して第４の再生器４に供給され、第４の再生器４で濃縮された吸収溶液は低温溶液熱交換器８を経由して吸収器７へ供給され、高温再生器１で発生した冷媒蒸気は、中温再生器２を経由してから第４の再生器４内の溶液と熱交換を行い、気液２相流或いは液相冷媒となって凝縮器５に供給されるようになっている。
【００１５】
また本発明の吸収冷温水機によれば、稀溶液ラインＬ１を流れる稀溶液は低温溶液熱交換器８及び中温溶液熱交換器９を経由して低温再生器３へ供給され、低温再生器３で濃縮された吸収溶液は中温溶液熱交換器９を経由して中温再生器２へ供給され、中温再生器２で濃縮された吸収溶液は高温溶液熱交換器１０を経由して高温再生器１へ供給され、高温再生器１で濃縮された吸収溶液は高温溶液熱交換器１０を経由して第４の再生器４に供給され、第４の再生器４で濃縮された吸収溶液は低温溶液熱交換器８を経由して吸収器７へ供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１で稀溶液ラインＬ１を流れる稀溶液と熱交換を行って凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようになっている。
【００１６】
さらに本発明の吸収冷温水機によれば、稀溶液ラインＬ１は低温溶液熱交換器８と中温溶液熱交換器９を経由して、中温溶液熱交換器９と高温溶液熱交換器１０との間で、高温溶液熱交換器１０及び高温再生器１に連通する溶液ラインＬ３９と低温再生器３へ連通する溶液ラインＬ４０とに分岐しており、低温再生器３で濃縮された吸収溶液は中温溶液熱交換器９を経由して中温再生器２へ供給され、中温再生器２で濃縮された吸収溶液は高温溶液熱交換器１０を経由して高温再生器１へ供給され、高温再生器１で濃縮された吸収溶液は高温溶液熱交換器１０を経由して第４の再生器４に供給され、高温再生器１で発生した冷媒蒸気は、中温再生器２を経由してから第４の再生器４内の溶液と熱交換を行い、気液２相流或いは液相冷媒となって凝縮器５に供給されるようになっている。
【００１７】
かつ本発明の吸収冷温水機によれば、稀溶液ラインＬ１は低温溶液熱交換器８と中温溶液熱交換器９を経由して、中温液熱交換器９と高温溶液熱交換器１０との間で、高温溶液熱交換器１０及び高温再生器１に連通する溶液ラインＬ３９と、溶液ドレン熱交換器１１及び低温再生器３へ連通する溶液ラインＬ４０とに分岐しており、低温再生器３で濃縮された吸収溶液は中温溶液熱交換器９を経由して中温再生器２へ供給され、中温再生器２で濃縮された吸収溶液は高温溶液熱交換器１０を経由して高温再生器１へ供給され、高温再生器１で濃縮された吸収溶液は高温溶液熱交換器１０を経由して第４の再生器４に供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１を経由して凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようになっている。
【００１８】
そして本発明の吸収冷温水機によれば、稀溶液ラインＬ１は低温溶液熱交換器８と中温溶液熱交換器９を経由して、中温溶液熱交換器９と高温溶液熱交換器１０との間で、溶液ドレン熱交換器１１、高温溶液熱交換器１０、高温再生器１に連通する溶液ラインＬ１Ｂと、低温再生器３へ連通する溶液ラインＬ１Ｃとに分岐しており、低温再生器３で濃縮された吸収溶液は中温溶液熱交換器９を経由して中温再生器２へ供給され、中温再生器２で濃縮された吸収溶液は高温溶液熱交換器１０を経由して高温再生器１へ供給され、高温再生器１で濃縮された吸収溶液は高温溶液熱交換器１０を経由して第４の再生器４に供給され、高温再生器１で発生した冷媒蒸気が流れるラインＬ２０は中温再生器２へ連通するラインＬ３０と第４の再生器４へ連通するラインＬ３２とに分岐しており、中温再生器２へ連通するラインＬ３０を流れる冷媒蒸気は中温再生器２内の溶液と熱交換を行って再生せしめ、液相冷媒、気液２相冷媒、気相冷媒のいずれかとなり、溶液ドレン熱交換器１１を経由して凝縮器５へ供給され、第４の再生器４へ連通するラインＬ３２を流れる冷媒蒸気は第４の再生器４内の溶液と熱交換を行って再生せしめた後、液相冷媒、気液２相冷媒、気相冷媒のいずれかとなって凝縮器５へ供給されるようなっている。
【００１９】
また本発明によれば、高温再生器１で発生した冷媒蒸気は、第４の再生器４内の溶液と熱交換を行って再生せしめた後、溶液ドレン熱交換器１１で稀溶液ラインＬ１を流れる稀溶液と熱交換を行ってから凝縮器５に供給されるようにするのが好ましい。
【００２０】
さらに本発明によれば、 第４の再生器４へ連通するラインＬ２０を流れる冷媒蒸気は第４の再生器４内の溶液と熱交換を行って再生せしめた後、第２の溶液ドレン熱交換器１１Ａで稀溶液ラインＬ１を流れる稀溶液と熱交換を行ってから凝縮器５へ供給されるようにするのが好ましい。
【００２１】
そして本発明によれば、吸収器７及び蒸発器６を２段に構成するのが好ましい。
【００２２】
かつ本発明によれば、前記低温再生器３のケーシングと第４の再生器４のケーシングとを一体的に構成し、一体的に構成されたケーシングの内部は、中温再生器２で発生した蒸気が流れる蒸気ラインが連通する低温再生器３側の領域と、高温再生器１で発生した蒸気が流れる蒸気ラインが連通する第４の再生器４側の領域、とが存在するようにするのが好ましい。
【００２３】
そして本発明によれば、一体的に構成されたケーシング内部空間の上方の領域における最下方には、供給された吸収溶液を貯留する部材が設けられており、該部材に  は中温再生器２に連通するラインが接続するのが好ましい。
【００２４】
また本発明によれば、高温再生器１で発生した冷媒蒸気が流れるラインＬ２０における中温再生器２と第４の再生器４内との間の領域に、流量調整弁Ｖ１を介装するのが好ましい。
【００２５】
かつ本発明によれば、高温再生器１で発生した冷媒蒸気が流れるラインＬ２０は中温再生器２へ連通するラインＬ３０と第４の再生器４へ連通するラインＬ３２とに分岐しており、第４の再生器４へ連通するラインにおける分岐点と第４の再生器との間の領域に、流量調整弁Ｖ２を介装するのが好ましい。
【００２６】
さらに本発明によれば、  高温再生器１で発生した蒸気が流れるラインＬ２０は、中温再生器２或いは第４の再生器４に連通するラインと、蒸発器６に連通するラインＬ１２８とに分岐しており、蒸発器６に連通する前記ラインに冷暖切換弁Ｖ３が介装されるのが好ましい。
【００２７】
従来の三重効用吸収冷温水機との対比に関し、図２７で示す本発明の吸収冷温水機のサイクル線図（デューリング線図）を参照すれば解る通り、高温再生器における加熱地点で発生した水蒸気（冷媒蒸気：気相冷媒）が保有する熱量は、中温再生器における濃縮にのみ使用される。すなわち、符号Ｘ−４で示す点と、符号Ｘ−５で示す点との濃度幅に相当する熱量が必要となる。そして、そのような熱量を得るためには、稀溶液と濃溶液の濃度の差を大きくとった場合でも、通常の場合と同様に高温再生器の温度は２００℃を超えることになる（図２８のＰＲ−ＨＧ参照）。
【００２８】
これに対して、上述したような構成を具備する本発明の吸収冷温水機によれば
、高温再生器と、中温再生器と、低温再生器に加えて、第４の再生器を有しており、該第４の再生器には、高温再生器で発生した蒸気が保有する熱量の一部が供給されるように構成されている。そのため、図２７で示す本発明の吸収冷温水機のサイクル線図（デューリング線図）において、符号Ｅで示す高温再生器における加熱地点で発生した水蒸気（冷媒蒸気：気相冷媒）が保有する熱量は、中温再生器における濃縮（Ｘ−３、Ｘ−４間の濃度幅に対応する加熱）と、第４の再生器における濃縮（Ｘ−１とＸ−５を混合した濃度とＸ−２との間の濃度幅に対応する加熱）とに消費される。そのため本発明では、高温再生器で必要とされる熱量は、図２７の点線Ｄで示す様に、従来技術における加熱地点ＰＲ−ＨＧに比較して、極めて低い温度（２００℃未満）の加熱地点Ｅに相当するもので足りるのである。
【００２９】
換言すれば、本発明によれば、高温再生器の温度を従来技術では達成不可能であった低い温度、２００℃未満に抑える事が出来る。そのため、高温再生器における腐食の可能性が極めて小さくなるのである。
【００３０】
特に、従来の三重効用吸収冷温水機のサイクルと（図２８において高温再生器の加熱地点を符号「ＰＲ−ＨＧ」で表現している）、それと同レベルにある本発明の吸収冷温水機のサイクル（図２７において高温再生器の加熱地点を符号「Ｅ」で表現している）とを比較すれば、本発明によれば高温再生器の温度を低く抑える事が出来る旨がより一層明確となる。
【００３１】
【発明の実施の形態】
以下、図１−図２８を参照して、本発明について説明する。なお、図示の実施形態においては、同様な部材には同様な符号を付してある。
【００３２】
図１に示す実施形態では、吸収冷温水機は所謂「シリーズ・パラレルフロータイプ」の吸収冷温水機として構成されている。図１において、吸収器７から出た吸収溶液（すなわち稀溶液）は、溶液ポンプ４０によりヘッドを負荷されて、稀溶液ラインＬ１により再生器側へ送られる。すなわち、稀溶液ラインＬ１を流れる稀溶液は、低温溶液熱交換器８、溶液ドレン熱交換器１１、中温溶液熱交換器９を介して予熱され、分岐地点ＢＰにおいて、高温再生器１に連通する溶液ラインＬ２と、中温再生器２へ連通する溶液ラインＬ３とに分岐する。溶液ラインＬ２を流れる稀溶液は、高温溶液熱交換器１０によってさらに予熱されて、高温再生器１に供給される。
【００３３】
高温再生器１においては、所謂「高質燃料」を用いる図示しない加熱手段（例えばガスバーナ等）によって吸収溶液は加熱されて、水蒸気（冷媒蒸気、気相冷媒）を発生する。高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。発生した水蒸気の一部は、蒸気ラインＬ３０を通り、中温再生器２内の溶液と熱交換を行って再生せしめ（図２７の点Ｘ−３、Ｘ−４間の濃度幅に相当する）、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液と熱交換を行って再生せしめた後（図２７の点Ｘ−１とＸ−５を混合した濃度、Ｘ−２間の濃度幅に相当する）、液相冷媒、気液２相冷媒、気相冷媒のいずれかとなってラインＬ３２−Ａを流れ、凝縮器５へ送られる。
【００３４】
高温再生器１で濃縮された吸収溶液は、溶液ラインＬ４を流れ、高温溶液熱交換器１０で熱交換を行い、第４の再生器４に送られる。高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、稀溶液ラインＬ１には、低温溶液熱交換器８と中温溶液熱交換器９との間の領域に、溶液ドレン熱交換器１１が介装されている。
【００３５】
分岐点ＢＰからラインＬ３を介して中温再生器２へ供給された稀溶液は、蒸気ラインＬ２０を流れる水蒸気、すなわち高温再生器１で発生した蒸気により加熱されて、一部が再生する。再生した水蒸気は蒸気ラインＬ２１を流れ、低温再生器３内の溶液と熱交換を行って再生せしめ、気液２相流となり、或いは液相冷媒となって、符号Ｌ２１−Ａで示すラインを介して凝縮器５に送られる。
【００３６】
中温再生器２で濃縮された吸収溶液は、溶液ラインＬ５を流れ、中温溶液熱交換器９で熱交換を行った後に、低温再生器３内へ滴下される。そして、蒸気ラインＬ２１を流れる水蒸気、すなわち中温再生器１で発生した蒸気により加熱されて、一部が再生する。
【００３７】
低温再生器３において、蒸気ラインＬ２１を流れる水蒸気により加熱されて再生した気相冷媒（水蒸気）は、蒸気ラインＬ２２を介して凝縮器５へ送られる。そして、低温再生器３で濃縮された吸収溶液は、溶液ラインＬ６を介して第４の再生器４内へ滴下される。
【００３８】
さらに第４の再生器４において、蒸気ラインＬ３２２０を流れる水蒸気により加熱されて再生した気相冷媒は、蒸気ラインＬ２３を介して凝縮器５へ送られる。そして、第４の再生器４で濃縮された吸収溶液は、溶液ラインＬ７を流れ、低温溶液熱交換器８で熱交換をした後に、高濃度溶液として、吸収器７内に滴下される。吸収器７内で滴下する高濃度吸収溶液は、ラインＬ２４を介して蒸発器６から流れてきた水蒸気を吸収して、再び稀溶液として稀溶液ラインＬ１に送られる。  凝縮器５に送られた再生蒸気（気液２相流、液相冷媒も含む）は液相冷媒（水）となり、ラインＬ８を通って蒸発器６に送られる。そして、冷水ラインＬ９内を流れる冷水から気化熱（潜熱）を奪って蒸発し、冷水ラインＬ９内の冷水温度を降下せしめる。気化した冷媒（水蒸気）は、蒸気ラインＬ２４を介して吸収器７に送られ、その内部を滴下する高濃度の吸収溶液によって吸収される。
【００３９】
なお、冷水ラインＬ９は図示しない冷房負荷に供給され、また、図３で後述するように符号Ｌ１０で示すラインは、吸収器７及び凝縮器５を冷却するための冷却水ラインが設けられている。
【００４０】
上述した通り、高温再生器１で発生した水蒸気は、中温再生器２においては、図２７の点Ｘ−３、Ｘ−４間の濃度幅に相当する熱量のみを供給し、点Ｘ−４、Ｘ−５間の濃度幅に相当する加熱は行わない。そして、第４の再生器において、図２７の点Ｘ−１、Ｘ−２間の濃度幅に相当する加熱を行う。すなわち、高温再生器１で発生した蒸気が保有する熱量の一部が第４の再生器４に供給されている。そのため、図２７を参照すれば明らかなように、高温再生器１の温度が（腐食が発生し易い）２００℃以上の高温となる事は無いのである。
【００４１】
さらに、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ１１を流れる冷媒が保有する熱量が、溶液ドレン熱交換器１１において稀溶液ラインＬ１を流れる稀溶液へ供給されて予熱するので、高温再生器１において加えられた熱量が有効に利用される。
【００４２】
図２の実施形態は、図１の実施形態と同様に、高温再生器１で発生した蒸気が流れるラインＬ２０は途中で分岐すること無く、中温再生器２を経由して、第４の再生器４に連通する。しかし、図３の実施形態では、図２の実施形態と同様に溶液ドレン熱交換器１１を備えており、第４の再生器４を経由して気液２相流或いは液相冷媒が流れるラインＬ２０−Ａは、溶液ドレン熱交換器１１を経由して凝縮器５に連通している。
【００４３】
図２で示す実施形態では、図１で示す実施形態と同様に、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。
【００４４】
ラインＬ３０を流れる水蒸気は、中温再生器２内の溶液と熱交換を行って再生せしめ、液相冷媒、気液２相冷媒、気相冷媒のいずれかとなってラインＬ１１を流れる。そして、溶液ドレン熱交換器（第１の溶液ドレン熱交換器）１１において、稀溶液ラインＬ１を流れる稀溶液と熱交換を行った後に、凝縮器５へ送られる。
【００４５】
一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れる。
【００４６】
ここで図２の実施形態においては、第１の溶液ドレン熱交換器１１に加えて、第２の溶液ドレン熱交換器１１Ａが、稀溶液ラインＬ１の低温溶液熱交換器８と中温溶液熱交換器９との間の領域、より詳細には低温溶液熱交換器８と第１の溶液ドレン熱交換器１１との間の領域に介装されている。そして、ラインＬ３２−Ａを流れる冷媒が保有する熱量が第２の溶液ドレン熱交換器１１Ａを介して稀溶液に供給された後に、ラインＬ３２−Ａを流れる当該冷媒は凝縮器５へ送られるのである。
【００４７】
その他の構成及び作用効果については、図１の実施形態と同様である。
【００４８】
図３−図６は、本発明を所謂「シリーズフロータイプ」の吸収冷温水機に適用した実施形態を示している。
【００４９】
図３で示す実施形態において、吸収器７から出る稀溶液は、溶液ポンプ４０、低温溶液熱交換器８、第２の中温溶液熱交換器９Ａ、第１の中温溶液熱交換器９、高温溶液熱交換器１０を介して、その全量が高温再生器１に送られる。高温再生器１で発生した冷媒蒸気は、ラインＬ２０により中温再生器２及び第４の再生器４を経由し、ラインＬ２０−Ａを通って凝縮器５に送られる。そして、中温再生器２及び第４の再生器４内の溶液をそれぞれ再生する。すなわち、この実施形態においても、高温再生器１で発生した蒸気が保有する熱量の一部が第４の再生器４に供給される。
【００５０】
高温再生器１で再生されて濃縮された吸収溶液は、溶液ラインＬ４を介して、高温溶液熱交換器１０を経由して、中温再生器２内で滴下される。中温再生器２で再生、濃縮された吸収溶液は、溶液ラインＬ５を介して第１の中温溶液熱交換器９を経由して、低温再生器３内に滴下される。そして、低温再生器３で再生、濃縮された溶液は、ラインＬ６を介して第２の中温溶液熱交換器９Ａを経由して、第４の再生器４内に滴下される。さらに、第４の再生器４で再生、濃縮された溶液は、ラインＬ７を通り低温溶液熱交換器８を経由して、吸収器７に戻される。
【００５１】
なお、図３において、ラインＬ３４は蒸発器６において液相冷媒（水）が循環するライン（液相冷媒循環ライン）であり、符号４２は液相冷媒循環ラインＬ３４を循環する液相冷媒にヘッドを与えるための溶液ポンプであり、明確には図示されていないが、本発明の他の実施形態にも設けられている。
【００５２】
その他の構成及び作用効果は、図１、図２の実施形態と同様である。
【００５３】
図４で示す本発明の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、図６の実施形態においては、稀溶液ラインＬ１には、第２の中温溶液熱交換器９Ａと中温溶液熱交換器９との間の領域に、溶液ドレン熱交換器１１が介装されている。なお、溶液ドレン熱交換器１１は、第２の中温溶液熱交換器９Ａと低温溶液熱交換器８との間の領域に介装しても良い。
【００５４】
ラインＬ３０を流れる水蒸気は、中温再生器２内の溶液と熱交換を行って再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。
【００５５】
一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、凝縮器５へ送られる。
【００５６】
図４の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ３０−Ａを流れる冷媒が保有する熱量が、溶液ドレン熱交換器１１において稀溶液ラインＬ１を流れる稀溶液へ供給されて予熱するので、高温再生器１において加えられた熱量が有効に利用される。
【００５７】
その他の構成及び作用効果は、図３の実施形態と同様である。
【００５８】
図３で示す実施形態では、高温再生器で発生した蒸気はラインＬ２０を流れて中温再生器２及び第４の再生器４を経由した後、気液２相流或いは液相冷媒となって、ラインＬ２０−Ａを流れて凝縮器５へ供給される。これに対して図５で示す実施形態では、稀溶液ラインＬ１の第２の中温溶液熱交換器９Ａと低温溶液熱交換器８との間の領域に溶液ドレン熱交換器１１が介装されており、前記ラインＬ２０−Ａは該溶液ドレン熱交換器１１を経由して凝縮器５へ連通している。そして、前記ラインＬ２０−Ａを流れる冷媒が保有する熱量は、溶液ドレン熱交換器１１において、稀溶液ラインＬ１を流れる稀溶液に供給される。
【００５９】
図５で示す実施形態のその他の構成及び作用効果は、図３で示す実施形態と同様である。
【００６０】
図６で示す実施形態では、図４の変形例であり、高温再生器で発生した蒸気はラインＬ２０を流れて、分岐点ＢＰ−２でラインＬ３０とＬ３２とに分岐し、ラインＬ３２を流れる蒸気冷媒は、第４の再生器４を経由した後、気液２相流或いは液相冷媒となって、ラインＬ３２−Ａを流れる。ここで稀溶液ラインＬ１には、第１の溶液ドレン熱交換器１１が介装されていると共に、第２の中温溶液熱交換器９Ａと低温溶液熱交換器８との間の領域に第２の溶液ドレン熱交換器１１Ａが介装されている。そして、第２の溶液ドレン熱交換器１１Ａを介して、前記ラインＬ３２−Ａを流れる冷媒は、稀溶液ラインＬ１を流れる稀溶液に熱量を提供して予熱し、その後に凝縮器５へ送られる。
【００６１】
この点で、ラインＬ３２を流れる蒸気冷媒は、第４の再生器４を経由した後、気液２相流或いは液相冷媒となってラインＬ３２−Ａを流れ、直ちに凝縮器５へ供給される図４の実施形態とは相違している。
【００６２】
その他の構成及び作用効果については、図４の実施形態と同様である。
【００６３】
図７−図１０は、本発明を所謂「パラレルフロータイプ」の吸収冷温水機に適用した実施形態を示している。
【００６４】
図７で示す実施形態では、稀溶液ラインＬ１は、低温溶液熱交換器８と中温溶液熱交換器９との間の領域における分岐点ＢＰ−３で、高温再生器１或いは中温再生器２と連通するラインＬ３５と、低温再生器３と連通するラインＬ３６、とに分岐している。前記ラインＬ３５は、さらに、中温溶液熱交換器９と高温溶液熱交換器１０との間の領域における分岐点ＢＰで、高温再生器１に連通する配管Ｌ２と、中温再生器２に連通する配管Ｌ３、とに分岐している。
【００６５】
高温再生器１で発生した冷媒蒸気は、ラインＬ２０により中温再生器２及び第４の再生器４を経由し、ラインＬ２０−Ａを通って凝縮器５に送られる。そして、中温再生器２及び第４の再生器４内の溶液をそれぞれ再生する。すなわち、この実施形態においても、高温再生器１で発生した蒸気が保有する熱量の一部が第４の再生器４に供給される。なお、ラインＬ２０において、中温再生器２と第４の再生器４との間の領域は、気液２相流が流れている。
【００６６】
高温再生器１で再生されて濃縮された吸収溶液は、溶液ラインＬ４を介して高温溶液熱交換器１０を経由して第４の再生器４へ供給され、中温再生器２で再生、濃縮された吸収溶液は、溶液ラインＬ１１を介して中温溶液熱交換器９を経由して第４の再生器４へ供給され、そして、低温再生器３で再生、濃縮された溶液は、ラインＬ６を介して第４の再生器４内に滴下される。さらに、第４の再生器４で再生、濃縮された溶液は、ラインＬ７を通り低温溶液熱交換器８を経由して、吸収器７に戻される。
【００６７】
その他の構成及び作用効果については、図１−図６の実施形態と同様である。  図８で示す実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、図８の実施形態においては、稀溶液ラインＬ１には、分岐点ＢＰ−３と低温溶液熱交換器８との間の領域に、溶液ドレン熱交換器１１が介装されている。
【００６８】
ラインＬ３０を流れる水蒸気は、中温再生器２内の溶液と熱交換を行って再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、凝縮器５へ送られる。
【００６９】
図８の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ３０−Ａを流れる冷媒が保有する熱量が、溶液ドレン熱交換器１１において稀溶液ラインＬ１を流れる稀溶液へ供給されて予熱するので、高温再生器１において加えられた熱量が有効に利用される。
【００７０】
その他の構成及び作用効果は、図７の実施形態と同様である。
【００７１】
図９の実施形態は図７の変形例であり、高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。この溶液ドレン熱交換器１１は、稀溶液ラインＬ１の低温溶液熱交換器８と分岐点ＢＰ−３との間の領域に介装されており、稀溶液ラインＬ１の当該領域を流れる稀溶液に対して、ラインＬ２０−Ａを流れる冷媒が保有する熱量を供給して予熱している。
【００７２】
この点で図９の実施形態は、図７の実施形態、すなわち第４の再生器を経由してラインＬ２０−Ａを流れる冷媒が直接凝縮器５へ供給される実施形態、と相違している。その他の構成及び作用効果については、図９の実施形態は図７の実施形態と同様である。
【００７３】
なお図９において、ラインＬ２０の中温再生器２と第４の再生器４との間の領域では、気液２相流となった冷媒が流れている。
【００７４】
図１０の実施形態は図８の変形例であり、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている。これに対して図１０で示す実施形態では、稀溶液ラインＬ１において、ラインＬ３０−Ａが経由している溶液ドレン熱交換器（第１の溶液ドレン熱交換器）１１と、低温溶液熱交換器８との間の領域に、第２の溶液ドレン熱交換器１１Ａを介装している。そして、第４の再生器４を経由して、液相冷媒、気液２相冷媒、気相冷媒のいずれかとなってラインＬ３２−Ａを流れる冷媒が保有する熱量が、第２の溶液ドレン熱交換器１１Ａを介して稀溶液ラインＬ１内の溶液に供給されて予熱を行う。第２の溶液ドレン熱交換器１１Ａを経由したラインＬ３２−Ａは、凝縮器５へ連通する。
【００７５】
その他の構成及び作用効果については、図１０の実施形態は図８の実施形態に同様である。
【００７６】
図１１−図１４は、本発明を所謂「リバースフロータイプ」の吸収冷温水機に適用した実施形態を示している。
【００７７】
図１１で示す実施形態では、吸収器７から出て溶液ポンプ４０によりヘッドを付加された稀溶液は、稀溶液ラインＬ１を流れ、低温溶液熱交換器８、中温溶液熱交換器９を経由して、低温再生器３内に滴下される。低温再生器３内で再生、濃縮された溶液は、溶液ポンプ４４でヘッドが付加され、ラインＬ３７を流れ、中温溶液熱交換器９を経由して、中温再生器２内に滴下される。中温再生器２内で再生、濃縮された溶液は、溶液ポンプ４６でヘッドが付加されて、ラインＬ３８を流れ、高温溶液熱交換器１０を経由して、高温再生器１に供給される。
【００７８】
高温再生器１で発生した蒸気はラインＬ２０を流れ、中温再生器２及び第４の再生器４内の溶液を加熱、再生して、気液２相流或いは液相冷媒としてラインＬ２０−Ａを流れて凝縮器５へ供給される。すなわち、図１１の実施形態においても、高温再生器１で発生した蒸気が保有する熱量の一部が第４の再生器４に供給されている。
【００７９】
中温再生器２で発生した蒸気は、ラインＬ２１を介して低温再生器３に供給される。そして、低温再生器３内の溶液を加熱、再生した後に、気液２相流或いは液相冷媒としてラインＬ２１−Ａを流れて凝縮器５へ送られる。そして、低温再生器３で発生した蒸気はラインＬ２２を介して凝縮器５へ送られ、第４の再生器４で発生した蒸気はラインＬ２３を介して凝縮器５へ送られる。
【００８０】
高温再生器１で再生、濃縮された吸収溶液は、ラインＬ４を介して第４の再生器４に供給され、第４の再生器４で再生、濃縮された後に、ラインＬ７を介して低温溶液熱交換器８を経由して吸収器７に戻される。
【００８１】
その他の構成及び作用効果は、図１−図１０の実施形態と同様である。
【００８２】
図１２の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、稀溶液ラインＬ１には、中温溶液熱交換器９と低温再生器３との間の領域に、溶液ドレン熱交換器１１が介装されている。
【００８３】
ラインＬ３０を流れる水蒸気は、中温再生器２内の溶液を加熱、再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液を加熱、再生せしめた後、液相冷媒、気液２相冷媒、気相冷媒のいずれかとなってラインＬ３２−Ａを流れ、凝縮器５へ送られる。
【００８４】
図１２の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液を再生してラインＬ３０−Ａを流れる冷媒が保有する熱量は、溶液ドレン熱交換器１１で稀溶液ラインＬ１を流れる稀溶液と熱交換を行い予熱するので、高温再生器１において図示しない加熱手段により加えられた熱量が有効に利用される。
【００８５】
その他の構成及び作用効果については、図１１の実施形態と同様である。
【００８６】
図１３で示す実施形態では、高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。（なお図１３において、ラインＬ２０の中温再生器２と第４の再生器４との間の領域では、気液２相流となった冷媒が流れている。）
この溶液ドレン熱交換器１１は、稀溶液ラインＬ１の低温溶液熱交換器８と中温溶液熱交換器９との間の領域に介装されており、稀溶液ラインＬ１の当該領域を流れる稀溶液に対して、ラインＬ２０−Ａを流れる冷媒が保有する熱量を供給して予熱している。
【００８７】
この点で図１３の実施形態は、図１１の実施形態、すなわち第４の再生器を経由してラインＬ２０−Ａを流れる冷媒が直接凝縮器５へ供給される実施形態、と相違している。その他の構成及び作用効果については、図１３の実施形態は図１１の実施形態と同様である。
【００８８】
図１２の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている。そして、稀溶液ラインＬ１の中温溶液熱交換器９と低温再生器３との間の領域には、ラインＬ３０−Ａが経由している溶液ドレン熱交換器（第１の溶液ドレン熱交換器）１１が介装されている。
【００８９】
これに対して図１４で示す実施形態では、稀溶液ラインＬ１において、低温溶液熱交換器８と中温溶液熱交換器９との間の領域に、第２の溶液ドレン熱交換器１１Ａを介装している。そして、第４の再生器４を経由して、液相冷媒、気液２相冷媒、気相冷媒のいずれかとなってラインＬ３２−Ａを流れる冷媒は、第２の溶液ドレン熱交換器１１Ａを経由して凝縮器５へ供給されており、ラインＬ３２−Ａを流れる冷媒が保有する熱量は、第２の溶液ドレン熱交換器１１Ａを介して稀溶液ラインＬ１内の溶液に供給されて、当該稀溶液を予熱する。
【００９０】
その他の構成及び作用効果については、図１４の実施形態は図１２の実施形態に同様である。
【００９１】
図１５−図２０は、本発明を所謂「リバース・パラレルフロータイプ」の吸収冷温水機に適用した実施形態を示している。
【００９２】
図１５の実施形態において、吸収器７を出て溶液ポンプ４０でヘッドを付加された稀溶液は、稀溶液ラインＬ１を流れ、低温溶液熱交換器８、中温溶液熱交換器９で予熱された後、分岐点ＢＰ−４において、高温再生器１に連通するラインＬ３９と、低温再生器３に連通するラインＬ４０とに分岐される。
【００９３】
ラインＬ３９を流れる稀溶液は、高温溶液熱交換器１０でさらに予熱された後に高温再生器１に供給される。一方、ラインＬ４０を流れる稀溶液は、低温再生器３内で滴下され、低温再生器３内で再生、濃縮された溶液は、溶液ポンプ４４でヘッドが付加され、ラインＬ３７を流れ、中温溶液熱交換器９を経由して、中温再生器２内に滴下される。中温再生器２内で再生、濃縮された溶液は、溶液ポンプ４６でヘッドが付加されて、ラインＬ３８を流れ、高温溶液熱交換器１０を経由して、高温再生器１に供給される。
【００９４】
ここで、高温再生器１における蒸気発生量を確保するため、図１５の高温溶液熱交換器１０は、３流体熱交換器として構成されている。そして、高温再生器１で加熱、再生されて濃縮されて且つラインＬ４を流れる吸収溶液が保有する熱量を、ラインＬ３９を流れる稀溶液及びラインＬ３８を流れる溶液に供給し、ラインＬ３８、Ｌ３９を流れる溶液を加熱して、高温再生器１で再生し易い様に予熱するのである。
【００９５】
高温再生器１で発生した蒸気はラインＬ２０を流れ、中温再生器２内の溶液を加熱、再生して、気液２相流としてラインＬ２０−Ｂを流れて第４の再生器４に供給される。そして第４の再生器４内の溶液を加熱、再生して、気液２相流或いは液相冷媒としてラインＬ２０−Ａを流れて凝縮器５へ供給される。すなわち、
図１５の実施形態においても、高温再生器１で発生した蒸気が保有する熱量の一部が第４の再生器４に供給されている。
【００９６】
中温再生器２で発生した蒸気は、ラインＬ２１を介して低温再生器３に供給される。そして、低温再生器３内の溶液を加熱、再生した後に、気液２相流或いは液相冷媒としてラインＬ２１−Ａを流れて凝縮器５へ送られる。そして、低温再生器３で発生した蒸気はラインＬ２２を介して凝縮器５へ送られ、第４の再生器４で発生した蒸気はラインＬ２３を介して凝縮器５へ送られる。
【００９７】
高温再生器１で再生、濃縮された吸収溶液は、前述した通りラインＬ４を流れ、第４の再生器４に供給され、第４の再生器４で再生、濃縮された後に、ラインＬ７を介して低温溶液熱交換器８を経由して吸収器７に戻される。
【００９８】
その他の構成及び作用効果は、図１−図１４の実施形態と同様である。
【００９９】
図１６で示す実施形態において、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、稀溶液ラインＬ１には、中温溶液熱交換器９と低温再生器３との間の領域、より詳細には分岐点ＢＰ−４と低温再生器３との間の領域に、溶液ドレン熱交換器１１が介装されている。
【０１００】
ラインＬ３０を流れる水蒸気は、中温再生器２内の溶液を加熱、再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液を加熱、再生せしめた後、液相冷媒、気液２相冷媒、気相冷媒のいずれかとなってラインＬ３２−Ａを流れ、凝縮器５へ送られる。
【０１０１】
図１６の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液を再生してラインＬ３０−Ａを流れる冷媒が保有する熱量は、溶液ドレン熱交換器１１で稀溶液ラインＬ１を流れる稀溶液と熱交換を行い予熱するので、高温再生器１において図示しない加熱手段により加えられた熱量が有効に利用される。
【０１０２】
その他の構成及び作用効果については、図１５の実施形態と同様である。
【０１０３】
図１７に示す実施形態を示している。図１６の実施形態において、溶液ドレン熱交換器１１は、稀溶液ラインＬ１の中温溶液熱交換器９と低温再生器３との間の領域であって、分岐点ＢＰ−４と低温再生器３との間の領域に介装されている。これに対して図１９の第１９実施形態では、溶液ドレン熱交換器１１は、稀溶液ラインＬ１の中温溶液熱交換器９と高温再生器１との間の領域、より具体的には分岐点ＢＰ−４と高温溶液熱交換器１０との間の領域に介装されている。
【０１０４】
その他の構成及び作用効果については、図１６の実施形態と同様である。
【０１０５】
図１８の実施形態では、高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。（なお図１８において、ラインＬ２０の中温再生器２と第４の再生器４との間の領域では、気液２相流となった冷媒が流れている。）
この溶液ドレン熱交換器１１は、稀溶液ラインＬ１の低温溶液熱交換器８と中温溶液熱交換器９との間の領域に介装されており、稀溶液ラインＬ１の当該領域を流れる稀溶液に対して、ラインＬ２０−Ａを流れる冷媒が保有する熱量を供給して予熱している。
【０１０６】
この点で図１８の実施形態は、図１５の実施形態、すなわち第４の再生器４を経由してラインＬ２０−Ａを流れる冷媒が直ちに凝縮器５へ供給される実施形態、と相違している。
【０１０７】
その他の構成及び作用効果については、図１８の実施形態は図１５の実施形態と同様である。
【０１０８】
図１９で示す実施形態では、稀溶液ラインＬ１において、低温溶液熱交換器８と中温溶液熱交換器９との間の領域に、第２の溶液ドレン熱交換器１１Ａを介装している。高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４を経由して、液相冷媒、気液２相冷媒、気相冷媒のいずれかとなってラインＬ３２−Ａを流れる。そして、ラインＬ３２−Ａを流れる冷媒は、第２の溶液ドレン熱交換器１１Ａを経由して凝縮器５へ供給されており、ラインＬ３２−Ａを流れる冷媒が保有する熱量は、第２の溶液ドレン熱交換器１１Ａを介して稀溶液ラインＬ１内の溶液に供給され、当該稀溶液を予熱する。
【０１０９】
この点で、図１６の実施形態の様に、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている実施形態とは相違している。その他の構成及び作用効果については、図１９の実施形態は、図１６の実施形態と同様である。
【０１１０】
図２０の実施形態を説明する。図１９の実施形態において、溶液ドレン熱交換器（第１の溶液ドレン熱交換器）１１は、稀溶液ラインＬ１の中温溶液熱交換器９と低温再生器３との間の領域であって、分岐点ＢＰ−４と低温再生器３との間の領域に介装されている。これに対して図２０の実施形態では、溶液ドレン熱交換器１１は、稀溶液ラインＬ１の中温溶液熱交換器９と高温再生器１との間の領域、より具体的には分岐点ＢＰ−４と高温溶液熱交換器１０との間の領域に介装されている。
【０１１１】
その他の構成及び作用効果については、図１９の実施形態と同様である。
【０１１２】
図２１の実施形態について説明する。この実施形態では、蒸発器６−１、６−２及び吸収器７−１、７−２を備えている。すなわち、蒸発器及び吸収器をそれぞれ２段に構成している。この様に構成する事により、稀溶液濃度を薄くして、濃度幅を拡大することが可能となり、高温再生器１における温度をより低くすることが出来るのである。
【０１１３】
なお、図２１の実施形態は、本発明の他の実施形態と組み合わせることが可能であることを付記する。
【０１１４】
図２２の実施形態について説明する。図２２において、全体を符号３４で示す部材は、本発明の他の実施形態における低温再生器と第４の再生器とをワン・ユニット化して構成した機器である。図２２中、符号３４−３で示す領域は低温再生器に相当する部分であり、中温再生器２で再生・濃縮された吸収溶液が供給されるラインＬ５、或いは、分岐点ＢＰ−３で分岐した稀溶液ラインＬ３６が連通しており、中温再生器２で発生した冷媒蒸気が流れるラインＬ２１が連通している。ラインＬ２１を流れる冷媒蒸気は、部材３４内の吸収溶液と熱交換を行い、加熱・再生せしめる。そして、気液２相流或いは液相冷媒となってラインＬ２１−Ａ内を流れて、図示しない凝縮器５へ供給される。
【０１１５】
一方、図２２において符号３４−４で示す領域は第４の再生器に相当する部分であり、高温再生器１で発生した蒸気が中温再生器２を経由して（気液２相流となって）流れるラインＬ２０、或いは、高温再生器１で発生した蒸気がラインＬ２０及び分岐点ＢＰ−２を経由して流れるラインＬ３２が連通しており、当該ラインＬ２０或いはＬ３２は、気液２相流或いは液相冷媒が流れるラインＬ２０−Ａ或いはＬ３２−Ａとして、図示しない凝縮器５に連通する。ラインＬ２０、Ｌ３２を流れる冷媒は、部材３４内の吸収溶液と熱交換を行い、加熱・再生せしめる。また領域３４−４に、高温再生器１で再生・濃縮された吸収溶液が流れるラインＬ４を連通することが可能である。
【０１１６】
部材３４内で吸収溶液が加熱・再生されることにより発生する蒸気冷媒は、ラインＬ２２を介して図示しない凝縮器５へ送られる。
【０１１７】
図２２の実施形態は、本発明の他の実施形態に適用可能である。特に、図１、図３、図４、図７、図８の実施形態と好適に組み合わせることが出来る。
【０１１８】
図２３の実施形態も、低温再生器と第４の再生器とをワン・ユニット化して構成したものである。全体を符号１３４で示す部材において、上方の領域１３４−３は低温再生器に相当し、下方の領域１３４−４は第４の再生器に相当する。そして、上方の領域１３４−３の最下方には、ラインＬ５或いはＬ４０を介して供給されて滴下する吸収溶液を貯留する部材１３６が設けられており、該部材１３６に貯留した吸収溶液は、ラインＬ３７を流れ、溶液ポンプ４４でヘッドを付加されて、中温再生器２へ送られる。
【０１１９】
図２３の実施形態は他の実施形態と組み合わせ可能であり、特に図１１−図２０の実施形態について好適に組み合わせることが出来る。
【０１２０】
その他の構成及び作用効果については、図２２の実施形態と同様である。
【０１２１】
図２４の実施形態について説明する。シリーズ・パラレルフロータイプの吸収冷温水機に適用された図２４の実施形態では、高温再生器１で発生した蒸気が流れるラインＬ２０において、中温再生器２と第４の再生器４との間の領域であるラインＬ２０−２６に流量調整弁Ｖ１が介装されている。
【０１２２】
ラインＬ２０−２６の領域に流量調整弁Ｖ１を設けたことにより、圧損が存在するため、ラインＬ２０或いはＬ２０−２６において、中温再生器２と第４の再生器４とで消費される蒸気量（冷媒が保有する熱量）の比率を調整することが出来るのである。
【０１２３】
図２４の実施形態はシリーズ・パラレルフロータイプの吸収冷温水機のみが図示されているが、本発明の他の実施形態について、図２４の実施形態（中温再生器２と第４の再生器４とを連通するラインＬ２０に流量調整弁Ｖ１を介装する実施形態）を適用することは可能である。
【０１２４】
図２５の実施形態について説明する。シリーズ・パラレルフロータイプの吸収冷温水機に適用された図２５の実施形態では、高温再生器１で発生した蒸気が、ラインＬ２０、分岐点ＢＰ−２を経由して流れるラインＬ３２（第４の再生器４に連通するライン）において、分岐点ＢＰ−２と第４の再生器４との間の領域に流量調整弁Ｖ２が介装されている。
【０１２５】
この流量調整弁Ｖ２を設けたことにより、ラインＬ３０を介して中温再生器２へ供給される蒸気と、ラインＬ３２を介して第４の再生器４へ供給される蒸気との流量比、或いは、それぞれの蒸気（冷媒）が保有する熱量の比率を、好適に調整することが出来る。
【０１２６】
図２５の実施形態はシリーズ・パラレルフロータイプの吸収冷温水機のみが図示されているが、本発明の他の実施形態について、図２５の実施形態（ラインＬ３２に流量調整弁Ｖ２を介装する実施形態）を適用することは可能である。
【０１２７】
図２６の実施形態について説明する。
【０１２８】
シリーズ・パラレルフロータイプの吸収冷温水機に適用された図２６の実施形態では、暖房時には冷暖切換弁を構成する開閉弁Ｖ３を開放することにより、高温再生器１で発生した蒸気はラインＬ２０を流れ、分岐点ＢＰ−５を経由して、ラインＬ１２８を介して蒸発器６に供給され、（冷）温水ラインＬ９内を流れる（冷）温水を加熱する。一方、冷房時には、冷暖切換弁Ｖ３を閉じることにより、例えば、図１の実施形態と同様に作動して、冷水ラインＬ９内の冷水を冷却する。
【０１２９】
図２６の実施形態はシリーズ・パラレルフロータイプの吸収冷温水機のみが図示されているが、本発明の他の実施形態について、図２６の実施形態（ラインＬ１２８と冷暖切換弁Ｖ３とを設けた実施形態）を適用することは可能である。
【０１３０】
なお、図示の実施形態はあくまでも例示であり、本発明の技術的範囲を限定する趣旨の記載ではない旨を付記する。
【０１３１】
【発明の効果】
以上説明した通り、本発明によれば、高温再生器と、中温再生器と、低温再生器に加えて、第４の再生器を有しており、該第４の再生器には、高温再生器で発生した蒸気が保有する熱量の一部が供給されるように構成されている。そのため本発明では、高温再生器で必要とされる熱量は、従来技術におけるものと比較して、極めて低い温度（２００℃未満）の加熱地点ＨＧに相当するもので足りるのである。
【０１３２】
換言すれば、本発明によれば、高温再生器の温度を従来技術では達成不可能であった低い温度、２００℃未満に抑える事が出来る。そのため、高温再生器における腐食の可能性が極めて小さくなるのである。
【０１３３】
また、蒸気利用の効率を高めて、高温再生器における高質燃料の消費量を抑制することが出来る。
【図面の簡単な説明】
【図１】本発明の第１実施形態を説明するブロック図。
【図２】本発明の第２実施形態を説明するブロック図。
【図３】本発明の第３実施形態を説明するブロック図。
【図４】本発明の第４実施形態を説明するブロック図。
【図５】本発明の第５実施形態を説明するブロック図。
【図６】本発明の第６実施形態を説明するブロック図。
【図７】本発明の第７実施形態を説明するブロック図。
【図８】本発明の第８実施形態を説明するブロック図。
【図９】本発明の第９実施形態を説明するブロック図。
【図１０】本発明の第１０実施形態を説明するブロック図。
【図１１】本発明の第１１実施形態を説明するブロック図。
【図１２】本発明の第１２実施形態を説明するブロック図。
【図１３】本発明の第１３実施形態を説明するブロック図。
【図１４】本発明の第１４実施形態を説明するブロック図。
【図１５】本発明の第１５実施形態を説明するブロック図。
【図１６】本発明の第１６実施形態を説明するブロック図。
【図１７】本発明の第１７実施形態を説明するブロック図。
【図１８】本発明の第１８実施形態を説明するブロック図。
【図１９】本発明の第１９実施形態を説明するブロック図。
【図２０】本発明の第２０実施形態を説明するブロック図。
【図２１】本発明の第２１実施形態を説明するブロック図。
【図２２】本発明の第２２実施形態を説明するブロック図。
【図２３】本発明の第２３実施形態を説明するブロック図。
【図２４】本発明の第２４実施形態を説明するブロック図。
【図２５】本発明の第２５実施形態を説明するブロック図。
【図２６】本発明の第２６実施形態を説明するブロック図。
【図２７】本発明の吸収冷温水機の作動サイクルを示す圧力−温度−濃度線図。
【図２８】従来の吸収冷温水機の作動サイクルを示す圧力−温度−濃度線図。
【図２９】従来のパラレルフロータイプの吸収冷温水機における作動サイクルを示す圧力−温度−濃度線図。
【図３０】従来のシリーズフロータイプの吸収冷温水機における作動サイクルを示す圧力−温度−濃度線図。
【図３１】従来の吸収冷温水機の１例を示すブロック図。
【符号の説明】
１…高温再生器
２…中温再生器
３…低温再生器
４…第４の再生器
５…凝縮器
６…蒸発器
７…吸収器
８…低温溶液熱交換器
９、９Ａ…中温溶液熱交換器
１０…高温溶液熱交換器
１１、１１Ａ…溶液ドレン熱交換器
ＢＰ、ＢＰ−２、ＢＰ−３、ＢＰ−４、ＢＰ−５…ラインの分岐点
４０、４２、４４、４６…溶液ポンプ
Ｖ１、Ｖ２…流量調整弁
Ｖ３…冷暖切換弁
【図１】
0003786535.tif 000002
【図２】
0003786535.tif 000003
【図３】
0003786535.tif 000004
【図４】
0003786535.tif 000005
【図５】
0003786535.tif 000006
【図６】
0003786535.tif 000007
【図７】
0003786535.tif 000008
【図８】
0003786535.tif 000009
【図９】
0003786535.tif 000010
【図１０】
0003786535.tif 000011
【図１１】
0003786535.tif 000012
【図１２】
0003786535.tif 000013
【図１３】
0003786535.tif 000014
【図１４】
0003786535.tif 000015
【図１５】
0003786535.tif 000016
【図１６】
0003786535.tif 000017
【図１７】
0003786535.tif 000018
【図１８】
0003786535.tif 000019
【図１９】
0003786535.tif 000020
【図２０】
0003786535.tif 000021
【図２１】
0003786535.tif 000022
【図２２】
0003786535.tif 000023
【図２３】
0003786535.tif 000024
【図２４】
0003786535.tif 000025
【図２５】
0003786535.tif 000026
【図２６】
0003786535.tif 000027
【図２７】
0003786535.tif 000028
【図２８】
0003786535.tif 000029
【図２９】
0003786535.tif 000030
【図３０】
0003786535.tif 000031
【図３１】
0003786535.tif 000032